(57)【要約】医療用装置上で用いるためのカートリッジが提供され、近位チャンバ及び遠位チャンバを有する本体を含む。抗菌物質が遠位チャンバ又は近位チャンバの１つに配設される。ポートが本体に配置され、抗菌物質が配設されているチャンバと連通する。別の実施形態において、別のポートが他のチャンバに配置される。さらに、上述のカートリッジに嵌る呼吸用の吸引装置が設けられる。
2004525669.tif 000002
【特許請求の範囲】
【請求項１】
呼吸用の吸引装置であって、
吸引カテーテルの遠位端を患者の人工気道の中に挿入し及び引き抜くことにより、負圧が前記吸引カテーテルの内腔に加えられ、流体を前記人工気道から除去するための吸引カテーテルと、
カートリッジを通る前記吸引カテーテルの通過を受け入れるカートリッジと、を備え、
前記カートリッジが、近位端と遠位端とを有し、前記近位端から前記遠位端を貫通し前記吸引カテーテルの挿入及び引き抜きを受け入れる通路を有する本体を備え、
前記通路と前記近位端が近位チャンバを定め、前記通路と前記遠位端が遠位チャンバを定め、
前記カートリッジが、さらに、前記遠位チャンバ又は前記近位チャンバの１つに配設された抗菌物質と、
前記抗菌物質が配設された前記遠位チャンバ又は前記近位チャンバの１つと連通する、本体上に配置されたポートと、
を含み、
患者に取り付けられる人工気道の取付構造と連通するように構成されたマニホルドが、前記カートリッジの遠位側に配置された、
ことを特徴とするカートリッジ。
【請求項２】
さらに、前記カートリッジの遠位側に配置された弁装置を含み、前記弁装置が、前記吸引カテーテルの前記遠位部を前記マニホルドから引き抜き、前記吸引カテーテルの内腔を通して吸引を行う際に、前記吸引カテーテルを前記マニホルドから実質的に隔離する、ことを特徴とする請求項１に記載の呼吸用の吸引カテーテル装置。
【請求項３】
前記弁装置が単一のフラップ弁であることを特徴とする請求項１に記載の呼吸用の吸引カテーテル装置。
【請求項４】
前記本体が円筒形状であり、前記本体における前記通路がほぼ円筒形状である、ことを特徴とする請求項１に記載の呼吸用の吸引カテーテル装置。
【請求項５】
前記抗菌物質がヒドロゲルであることを特徴とする請求項１に記載の呼吸用の吸引カテーテル装置。
【請求項６】
前記抗菌物質が第４級アミンヒドロゲルであることを特徴とする請求項１に記載の呼吸用の吸引カテーテル装置。
【請求項７】
前記本体が前記近位端と遠位端との間の前記通路に配置された中間シールを有し、前記本体が前記近位端に配置された近位シールを有し、前記本体が前記遠位端に配置された遠位シールを有する、ことを特徴とする請求項１に記載の呼吸用の吸引カテーテル装置。
【請求項８】
前記本体が前記通路に近位の複数の凹部を有する、ことを特徴とする請求項１に記載の呼吸用の吸引カテーテル装置。
【請求項９】
前記抗菌物質が前記遠位チャンバに配設され、前記ポートが前記遠位チャンバと連通する、ことを特徴とする請求項１に記載の呼吸用の吸引カテーテル装置。
【請求項１０】
前記抗菌物質が前記近位チャンバに配設され、前記ポートが前記近位チャンバと連通する、ことを特徴とする請求項１に記載の呼吸用の吸引カテーテル装置。
【請求項１１】
医療装置において用いるためのカートリッジであって、
近位端と遠位端とを有し、前記近位端から前記遠位端を貫通し、外科用器具の挿入及び引き抜きを受け入れる通路を有する本体を備え、
前記通路と前記近位端が近位チャンバを定め、前記通路と前記遠位端が遠位チャンバを定め、
前記遠位チャンバ又は前記近位チャンバの１つに配設された抗菌物質と、
前記抗菌物質が配設された前記遠位チャンバ又は前記近位チャンバの１つと連通する、本体上に配置されたポートと、
を備えることを特徴とするカートリッジ。
【請求項１２】
前記本体の前記遠位端及び前記近位端が、呼吸用の吸引装置に連結するようにされていることを特徴とする請求項１１に記載のカートリッジ。
【請求項１３】
前記本体がほぼ円筒形状であり、前記本体における前記通路がほぼ円筒形状である、ことを特徴とする請求項１１に記載のカートリッジ。
【請求項１４】
前記抗菌物質がヒドロゲルであることを特徴とする請求項１１に記載のカートリッジ。
【請求項１５】
前記抗菌物質が第４級アミンヒドロゲルであることを特徴とする請求項１１に記載のカートリッジ。
【請求項１６】
前記本体が前記近位端と遠位端との間の前記通路に配置された中間シールを有し、前記本体が前記近位端に配置された近位シールを有し、前記本体が前記遠位端に配置された遠位シールを有する、ことを特徴とする請求項１１に記載のカートリッジ。
【請求項１７】
前記本体が前記通路に近位の複数の凹部を有する、ことを特徴とする請求項１１に記載のカートリッジ。
【請求項１８】
前記抗菌物質が前記遠位チャンバに配設され、前記ポートが前記遠位チャンバと連通する、ことを特徴とする請求項１１に記載のカートリッジ。
【請求項１９】
前記抗菌物質が前記近位チャンバに配設され、前記ポートが前記近位チャンバと連通する、ことを特徴とする請求項１１に記載のカートリッジ。
【請求項２０】
呼吸用の吸引装置であって、
吸引カテーテルの遠位端を患者の人工気道の中に挿入し及び引き抜くことにより、負圧が前記吸引カテーテルの内腔に加えられ、流体を前記人工気道から除去するための吸引カテーテルと、
カートリッジを通る前記吸引カテーテルの通過を受け入れるカートリッジと、を備え、
前記カートリッジが、近位端と遠位端とを有し、前記近位端から前記遠位端を貫通し前記吸引カテーテルの挿入及び引き抜きを受け入れる通路を有する本体を備え、
前記通路と前記近位端が近位チャンバを定め、前記通路と前記遠位端が遠位チャンバを定め、
前記カートリッジが、さらに、本体上に配置され、前記近位チャンバと連通する近位ポートと、
本体上に配置され、前記遠位チャンバと連通する遠位ポートと、
前記遠位チャンバ又は前記近位チャンバの１つに配設された抗菌物質と、
を含み、
患者に取り付けられる人工気道の取付構造と連通するように構成されたマニホルドが、前記カートリッジの遠位側に配置された、
を備えることを特徴とするカートリッジ。
【請求項２１】
さらに、前記遠位ポートの遠位側に配置された弁装置を含み、前記弁装置が、前記吸引カテーテルの前記遠位部を前記マニホルドから引き抜き、前記吸引カテーテルの内腔に吸引を行う際に、前記吸引カテーテルを前記マニホルドから実質的に隔離する、ことを特徴とする請求項２０に記載の呼吸用の吸引カテーテル装置。
【請求項２２】
前記弁装置が単一のフラップ弁であることを特徴とする請求項２０に記載の呼吸用の吸引カテーテル装置。
【請求項２３】
前記本体が円筒形状であり、前記本体における前記通路がほぼ円筒形状である、ことを特徴とする請求項２０に記載の呼吸用の吸引カテーテル装置。
【請求項２４】
前記抗菌物質がヒドロゲルであることを特徴とする請求項２０に記載の呼吸用の吸引カテーテル装置。
【請求項２５】
前記抗菌物質が第４級アミンヒドロゲルであることを特徴とする請求項１に記載の呼吸用の吸引カテーテル装置。
【請求項２６】
前記本体が前記近位端と遠位端との間の前記通路に配置された中間シールを有し、前記本体が前記近位端で前記通路に配置された近位シールを有する、ことを特徴とする請求項２０に記載の呼吸用の吸引カテーテル装置。
【請求項２７】
前記本体が前記通路に近位の複数の凹部を有する、ことを特徴とする請求項２０に記載の呼吸用の吸引カテーテル装置。
【請求項２８】
前記抗菌物質が前記遠位チャンバに配設されることを特徴とする請求項２０に記載の呼吸用の吸引カテーテル装置。
【請求項２９】
前記抗菌物質が前記近位チャンバに配設されることを特徴とする請求項２０に記載の呼吸用の吸引カテーテル装置。
【請求項３０】
医療装置において用いるためのカートリッジであって、
近位端と遠位端とを有し、前記近位端から前記遠位端を貫通し、外科用器具の挿入及び引き抜きを受け入れる通路を有する本体を備え、
前記通路と前記近位端が近位チャンバを定め、前記通路と前記遠位端が遠位チャンバを定め、
本体上に配置されて前記近位チャンバと連通する近位ポートと、
本体上に配置されて前記遠位チャンバと連通する遠位ポートと、
前記遠位チャンバ又は前記近位チャンバの１つに配設された抗菌物質と、
を備えることを特徴とするカートリッジ。
【請求項３１】
前記本体の前記遠位端及び前記近位端が、呼吸用の吸引装置に連結するようにされていることを特徴とする請求項３０に記載のカートリッジ。
【請求項３２】
前記本体がほぼ円筒形状であり、前記本体における前記通路がほぼ円筒形状である、ことを特徴とする請求項３０に記載のカートリッジ。
【請求項３３】
前記抗菌物質がヒドロゲルであることを特徴とする請求項１１に記載のカートリッジ。
【請求項３４】
前記抗菌物質が第４級アミンヒドロゲルであることを特徴とする請求項３０に記載のカートリッジ。
【請求項３５】
前記本体が前記近位端と遠位端との間の前記通路に配置された中間シールを有し、前記本体が前記近位端で前記通路に配置された近位シールを有することを特徴とする請求項３０に記載のカートリッジ。
【請求項３６】
前記本体が前記通路に近位の複数の凹部を有することを特徴とする請求項３０に記載のカートリッジ。
【請求項３７】
前記抗菌物質が前記遠位チャンバに配設されることを特徴とする請求項３０に記載の呼吸用のカートリッジ。
【請求項３８】
前記抗菌物質が前記近位チャンバに配設されることを特徴とする請求項３０に記載の呼吸用のカートリッジ。
【発明の詳細な説明】
【０００１】
（技術分野）
本発明は、吸引カテーテルに関し、より特定的には、抗菌チャンバを有する吸引カテーテルに関する。
【０００２】
（背景技術）
医療処置のために、身体の中に挿入されるカテーテルを人が必要とする種々の異なる状況がある。そのようなカテーテルの使用の一例は、患者の呼吸器系に気管内チューブのような人工気道の配置が必要とされるときである。例えば、外科手術の際、人工気道の主な機能は、処置中に十分な肺換気が維持されるように患者の気道を開いたまま確保することである。或いは、多くの患者において、機械換気を維持するために、気管内チューブが長期間、体内に入ったままにされる。
気管内チューブが、任意の相当量の時間入ったままにされることがある場合には、呼吸器分泌物を定期的に除去することが重要である。これは、通常、呼吸用の吸引カテーテルを用いることで達成される。吸引カテーテルが引き抜かれるのに伴い、カテーテルの内部に負圧が加わり、患者の呼吸器系から粘液その他の分泌物が汲み上げられる。
【０００３】
相当量の粘液がカテーテルの内腔を通して回収されるが、この粘液の一部は、様々な理由のためにカテーテルの外側に残り、例えば呼吸器分泌物に存在することがある病原菌による汚染を妨げるためには、カテーテルのチューブからあらゆる粘液及び分泌物をも洗浄することが重要である。
カテーテルを洗浄するための幾つかの機構が存在する。例えば、カテーテルが患者から引き抜かれた後に、臨床家が液体を該カテーテルの先端を取り囲む領域の中に注入することができるようにする洗浄ポートを設けることができる。液体が閉鎖吸引カテーテル装置の中に注入されて吸引が行われるときに、該液体は該カテーテルの外側から分泌物を遊離させて除去するのを助ける。
【０００４】
単純に液体を注入し、それを除去するために吸引を行うことの１つの重要な問題は、吸引が、さらに、カテーテルを通して除去されるべき量の呼吸の空気を生じさせることである。「閉システム」において、排出された空気は、慎重に制御された換気サイクルを乱すことがある。したがって、カテーテル洗浄の結果として、患者に使用可能な呼吸の空気量が減少する。
呼吸器分泌物による潜在的な汚染を制御するための１つの方法は、抗菌物質を投入して、呼吸用装置、及び特にカテーテル自体における細菌の増殖を妨ぐことである。物質をカテーテル上に表面結合することの問題は、薬理学的に活発な成分の供給が短期間に制限されることである。
したがって、当業者において、患者に対して、換気空気内に液滴を生じることのない、吸引カテーテルの先端を効率的に洗浄することができる閉鎖吸引呼吸用システムが必要とされる。さらに、当業者において、抗菌化合物を閉鎖吸引呼吸用システムの中に迅速に、効率的に、及び持続した時間、投入する必要性がある。
【０００５】
（発明の開示）
本発明の目的及び利点は、以下の説明において部分的に述べられ、又はその説明から明らかであり、或いは本発明の実施形態を通して理解することができるであろう。
本発明は、呼吸用システムだけでなく、他の医療用装置と併せて用いることができるカートリッジを提供する。そうしたものの例は、洗浄システム、及び気道又は消化管を監視し、見るための器械を含む。
ここで用いられる「近位」という用語は臨床家の方向を指し、「遠位」という用語は患者の方向を指す。
本発明によると、医療用装置上で用いられるカートリッジは、近位端及び遠位端を有する本体を含む。本体は、さらに、近位端から遠位端まで至る通路を有する。この通路は、カートリッジを通る外科用器具の挿入及び後退を受け入れる。通路及び近位端が近位チャンバを定め、該通路及び遠位端が遠位チャンバを定める。近位ポートが本体上に配置されて、近位チャンバと連通する。遠位ポートが本体上に配置されて、遠位チャンバと連通する。抗菌物質が近位チャンバ又は遠位チャンバのいずれかに配設される。
【０００６】
代替的な実施形態において、抗菌物質が配設されるチャンバと連通する１つのポートだけが提供される。
さらに、本発明によると、呼吸用の吸引装置が提供される。装置は、吸引カテーテルからなり、該吸引カテーテルの遠位端を気道の中に挿入することにより、流体を患者の該気道から除去する。吸引カテーテルの遠位端を気道の一部を通して引き抜くことにより負圧が該吸引カテーテルの内腔に加えられ、流体が除去される。前述のカートリッジが、装置に直列に組み入れられ、カテーテルが該カートリッジを通過するようにする。例えば、カートリッジを、該カートリッジの遠位側に配置されたマニホルドと連結することができる。マニホルドは、患者に取り付けられた人工気道の取付構造と連通するように構成される。
本発明の代替的な実施形態において、単一のフラップ弁がカートリッジの遠位側に配置される。吸引カテーテルの遠位部がマニホルドから引き抜かれ、フラップ弁を通過する際、該フラップ弁は、実質的に、該吸引カテーテルをマニホルドから隔離する。
【０００７】
（発明を実施するための最良の形態）
本発明の実施形態は、添付の図面を参照して例により説明される。
ここで、本発明の実施形態を詳細に参照するが、その１つ又はそれ以上の例が図面に示される。各々の例は本発明を説明する目的で提供され、本発明を制限するものではない。例えば、１つの実施形態の一部として示されるか又は述べられる特徴を、別の実施形態と併せて用いて、さらに第３の実施形態を生み出すことができる。本発明は、そのような修正及び変形を含むことを意図する。
本発明は、迅速にかつ効率的に抗菌物質を閉鎖吸引呼吸用システムの中に与えるための装置を提供する。さらに、本発明はまた、そのように抗菌物質を閉鎖吸引呼吸用システムの中に与え、同時に、換気空気の結果として生じる滴が患者にもたらされないような、吸引カテーテルの先端を洗浄する方法を提供する必要性を解決する。
【０００８】
外科用器具がカートリッジを通して延ばされるか又は後退されるとき、抗菌ワイプとして働く抗菌ヒドロゲルを収容するカートリッジが設けられる。種々の種類の医療用器械上で用いることが可能であるが、カートリッジは、本発明をその１つの実施形態を通して説明するために、吸引カテーテルの呼吸用システムの中に組み入れられるように述べられる。カートリッジを種々の種類のカテーテル、及び他の外科用器械のために用いる選択肢があることを理解されたい。
ここで図面を参照すると、図１は、全体を１００で示す呼吸用の吸引装置の中に組み入れられたカートリッジ１１０の分解図を示す。呼吸用の吸引装置１００は、呼吸用の吸引装置１００を通して患者の気道の中に挿入される吸引カテーテル１０２からなる。吸引カテーテル１０２は、典型的に、換気された患者の気道から粘液その他の分泌物を除去するために用いられる。吸引カテーテル１０２は、遠位端１０４を有する。吸引カテーテルが気道から引き抜かれるときに該吸引カテーテル上に蓄積する汚染物質及び粘液を収納し、かつ隔離するために、保護スリーブ１０８が設けられる。保護スリーブ１０８には、呼吸用の吸引装置１００の該保護スリーブ１０８部分をカートリッジ１１０に取り付けるシーリング連結部１０６が設けられる。
【０００９】
近位端１１２及び遠位端１１４を含む本体部分をもつカートリッジ１１０が示される。通路１１６が、カートリッジ１１０の本体に貫通形成される。通路１１６が、カートリッジ１１０を通る吸引カテーテル１０２の挿入及び後退を可能にする。カートリッジ１１０の本体及び通路１１６は、円筒形状とすることができる。
カートリッジ１００には、さらに中間シール１１８が設けられ、近位端１１２を遠位端１１４から分離する。近位シール１２８及び遠位シール１３０が、カートリッジ１１０の近位端１１２及び遠位端１１４のそれぞれの上に設けられる。
中間シール１１８、通路１１６及び近位端１１２が、本体における近位チャンバ１２０を定める。中間シール１１８、通路１１６及び遠位端１１４が、本体における遠位チャンバ１２２を定める。図１には示されないが、抗菌物質が近位チャンバ１２０に配設される。ポート１２４が本体上に配置されて、近位チャンバ１２０と連通する。ハウジング部材１２６をポート１２４に連結し、食塩水が該ポート１２４を通して呼吸用の吸引装置１００に与えられていないとき、該ハウジング部材１２６を閉じるためのキャップ１３２を該ハウジング部材に設けることができる。
【００１０】
カートリッジ１１０の本体の遠位端１１４は、弁リテーナ１３８に連結する。弁リテーナ１３８は、一端に遠位シール１３０を有し、他端にフラッパ弁１４２を有する。フラッパ弁１４２については、同時係属中の本出願人が所有する「改良された弁及びカラーをもつ呼吸用の吸引カテーテル装置」と題された米国特許番号  （番号は、受け取り次第提供される）により詳細に説明される。この出願は、本明細書において全体を引用によりここに組み入れる。
弁リテーナ１３８には、灌注ハウジング１３６に取り付けられるポートが設けられる。遠位ポートのハウジング部材１３６には、呼吸用の吸引装置１００が洗浄されていないとき、該ハウジング１３６を閉じるために用いられるキャップ１３４が設けられる。
【００１１】
Ｔ字形態のマニホルドが１４４で示される。マニホルド１４４は、弁リテーナ１３８と相互作用し、フラッパ弁１４２を収容する一端に配置されたポート１５０を有する。マニホルド１４４の他端には、気道に対するポート１５２がある。スイベル挿入体１５４がポート１５２と相互作用する。ロックリング１５６が、スイベル挿入体１５４を入れるために設けられる。この配置は、呼吸用の吸引装置１００が、緩んだ歪み又は患者に対する不快感のない、人工気道から気道への連結の周りを回転することを可能にする。
Ｔ字形態の側面に、換気ポート１５８が設けられる。スイベル挿入体１４８がポート１５８と相互作用する。ロックリング１６２がスイベル挿入体１４８をポート１５８の上にロックする。
図２は、図１の呼吸用の吸引装置の組立図を示す。要素、数字及び連結は図１と同じである。しかしながら、図２は、さらに、近位チャンバ１２０内に配設された抗菌物質１６２を示す。
【００１２】
図３は、本発明の呼吸用の吸引装置３００の代替的な実施形態を示す。吸引カテーテル１０２、マニホルド１４４及びフラッパ弁１４２は、上述のものと同じである。カートリッジは全体を３１０で示される。カートリッジ３１０は、近位端３１２及び遠位端３１４を有する本体からなる。通路３１６が本体を通る。通路３１６は、吸引カテーテル１０２の、カートリッジ３１０を通る挿入と、該カートリッジからの後退を可能にする。近位シール３２８が本体の近位端３１２に配置される。遠位シール３１８は、近位シール３２８から遠位側に配置される。遠位シール３１８は、さらに、カートリッジ３１０の本体の内側に配置される。
【００１３】
カートリッジ３１０の本体、近位シール３２８及び遠位シール３１８が近位チャンバ３２０を定める。カートリッジ３１０の本体、遠位シール３１８及び遠位端３１４が遠位チャンバ３２２を定める。近位ポート３２４が本体上に配置され、近位チャンバ３２０と連通する。ハウジング１２６が近位ポート３２４に取り付けられる。キャップ１３２がハウジング１２６に取り付けられ、呼吸用の吸引装置３００が用いられていないとき、閉鎖位置にある。
遠位ポート３６６がカートリッジ３１０の本体上に配置される。遠位ポート３６６は、遠位チャンバ３２２と連通する。ハウジング１３６は、遠位ポート３６６と連結する。キャップ１３４がハウジング１３６に取り付けられ、呼吸用の吸引装置３００が用いられていないとき、閉鎖位置にある。
【００１４】
図４は、図３の呼吸用の吸引装置３００の組立図を示す。図４における付加的な要素は、近位チャンバ３２０内に配設された状態で示される抗菌物質３６２だけである。
本発明の抗菌物質は、ヒドロゲルとすることができる。ヒドロゲルを、近位チャンバ３６０における本体に対して層状に与えることができる。さらに、抗菌物質３６２は、抗菌特性を組み入れる第４級アミンヒドロゲルとすることができる。ここでは、カートリッジ３１０の本体内部の第４級アミンヒドロゲルは、酸化還元法により硬化する。或いは、カートリッジ３１０の本体の第４級アミンヒドロゲルは、紫外線触媒法により硬化する。或いは、当業者において知られている他の方法を用いて、本体内部のヒドロゲルを処理することができる。
【００１５】
図４の実施形態において、抗菌物質３６２が近位チャンバ３２０に配設されている。食塩水又は滅菌水が、近位ポート３２４及びハウジング１２６を通して近位チャンバの中に投入される。食塩水を用いて、抗菌物質を水和させる。ヒドロゲルの水和化は、抗菌物質３６２をもつ近位チャンバ３２０を通る吸引カテーテル１０２の通過が拭い取り作用を生じさせて、該吸引カテーテル１０２上に細菌が定着するのを削減するように、近位チャンバ３２０の内側を膨張させる。この拭い取り作用は、患者の呼吸器流体から患者及び臨床家が感染する可能性を削減する。
近位シール３２８は、近位チャンバ３２０及び抗菌物質３６２を保護スリーブ３２０から隔離し、該保護スリーブからカートリッジ１０６への連結を隔離するための障壁として働く。遠位シール３１８を用いて、抗菌物質３６２を遠位チャンバ３２２から隔離する。さらに、遠位シール３１８は、吸引カテーテル１０２が人工気道から遠位側に引き抜かれる際に、該吸引カテーテルから分泌物を除去する拭い取りシールとして働く。遠位シール３１８はまた、さらにフラッパ弁１４２及び遠位チャンバ３２２により定められる洗浄室を定めるのを助ける。
【００１６】
吸引カテーテルの遠位端１０４は、フラッパ弁１４２に向かって配置される。この洗浄処理は、本出願人が所有する、Ｗａｙｎｅ  Ｃａｒｓｅｎ、Ｅｄｗａｒｄ  Ｍａｄｓｅｎ、及びＣｈｅｔ  Ｃｒｕｍｐが発明者である「カテーテル組立体のための管状空気洗浄方法及び装置」と題された米国特許番号第  （番号は、受け取り次第提供される）に詳細に述べられており、本明細書において全体を引用によりここに組み入れる。洗浄液が遠位ポートのハウジング１３６に投入され、遠位ポート１３６を通過して、遠位チャンバ３２２の中に入る。洗浄液の投入、及び吸引を吸引カテーテル１０２に行うことは、カテーテル１０４の遠位端を洗浄する洗浄処置を生成する。
さらに、本発明は、近位チャンバ３２０ではなく遠位チャンバ３２２に配設された抗菌物質３６２を有するカートリッジ３１０を設けるものであることも理解されたい。そのような配置が図８に示される。本実施形態において、吸引カテーテル１０２を、カートリッジ３１０の近位チャンバ３２０において洗浄することができる。吸引カテーテル１０２が遠位チャンバ３２２を通過する際、該吸引カテーテルを抗菌物質３６２で拭うことができる。
【００１７】
図３及び図８における近位チャンバ３２０及び本体の近位端３１２が、一方は抗菌物質３６２を収容し、他方は洗浄室として働くという事実のために、異なる構成となることを理解されたい。図３及び図８に示される実施形態の間における遠位チャンバ３２２及び本体３１４の遠位端３１４についても同じことが当てはまる。
図１及び図２に示される実施形態を参照すると、カテーテル１０２が遠位チャンバ１２２を通して引き抜かれる際、中間シール１１８が分泌物及び粘液を吸引カテーテル１０２から拭う。これらの分泌物は遠位チャンバ１１２に含まれており、吸引カテーテル１０２を吸引するか、又は、灌注ハウジング１３６を通して投入される洗浄液のいずれかにより除去することができる。前の実施形態で述べられたように、本発明は、さらに、抗菌物質３６２がカートリッジ３１０の近位チャンバ３２０ではなく、遠位チャンバ３２２に配設されるという実施形態（図８）を含む。そのような実施形態において、吸引カテーテル１０２が遠位チャンバ３２２を通過する際に、拭い取り処理が該吸引カテーテル上で生じる。水和化が遠位ポートのハウジング１３６を通して行われて、抗菌物質３６２を水和する。吸引カテーテル１０２を近位チャンバ３２０で洗浄することができる。
【００１８】
本発明のカートリッジは、呼吸用の吸引カテーテル装置だけでなく、他の医療用システムに適用することができ、かつ、他の医療器具と併せて用いることができる。そのようなカートリッジ１１０が図５Ａ、図５Ｂ、図７Ａ及び図７Ｂに示される。吸引カテーテル１０２はカートリッジの中に挿入されて示されるが、他の医療器具を本発明のカートリッジで洗浄することができることを理解されたい。
図６は、本発明のカートリッジ１１０の代替的な実施形態を示す。ここで、一連の凹部１７６が近位チャンバ１２０内に配設された状態で示される。抗菌物質は、凹部１７６のチャネル内に配設される。凹部１７６は、抗菌物質を近位チャンバ１２０内に保持するように働く。種々の凹部の構成を描くことができ、そのすべてが本発明の範囲内にある。例えば、凹部１７６の断面を方形又はダブテール形状とすることができる。さらに、凹部１７６を図７Ａ及び図７Ｂにおいて述べられる実施形態の中に組み込むことができることを理解されたい。
【００１９】
図９は、本発明によるカートリッジ３１０の代替的な実施形態である。図９における実施形態は、図３において開示されたものと似ているが、フラッパ弁１４２だけが組み入れられていない。したがって、本体の遠位端３１４は、図９において、フラッパ弁１４２と係合するように構成されていない。
図９及び前の実施形態に示されるように、本発明のカートリッジの設計１１０及び３１０を、種々の種類及び様式の人工気道マニホルド及び呼吸用の吸引装置と共に働くように構成することができる。そのような構成のすべては、本発明の範囲内にあると考えるべきである。
種々の修正及び変更が、特許請求の範囲から外れることなく、上述の好ましい実施形態のカートリッジ、及び呼吸用の吸引装置において用いられるカートリッジに行うことができることが理解されるであろう。
【図面の簡単な説明】
【図１】
本発明の呼吸用の吸引装置の分解断面図である。この図は、フラッパ弁及びＴ字形態のマニホルドに取り付けられたカートリッジを備えた吸引カテーテルを示す。
【図２】
図１の呼吸用の吸引装置が組み立られた状態の断面図を示す。
【図３】
本発明の呼吸用吸引装置の代替的実施形態の分解断面図である。この図は、フラッパ弁及びＴ字形態のマニホルドに取り付けられたカートリッジをもつ吸引カテーテルを示す。
【図４】
図３の呼吸用の吸引装置が組み立られた状態の断面図を示す。
【図５Ａ】
図１のカートリッジの分解斜視図を示す。
【図５Ｂ】
図１のカートリッジの組立断面図を示す。
【図６】
凹部特徴を有する図５のカートリッジの分解断面図である。
【図７Ａ】
図３のカートリッジの分解斜視図を示す。
【図７Ｂ】
図３のカートリッジの組立断面図を示す。
【図８】
本発明の呼吸用吸引装置の代替的実施形態の分解断面図である。この図は、図３において配設されたチャンバに対して遠位のチャンバに配設された抗菌物質を示す。
【図９】
本発明の呼吸用吸引装置の代替的実施形態の分解断面図である。この図は、代替的なＴ字形態のマニホルドに取り付けられたカートリッジをもつ吸引カテーテルを示す。
【国際公開パンフレット】
2004525669.tif 000003
2004525669.tif 000004
2004525669.tif 000005
2004525669.tif 000006
2004525669.tif 000007
2004525669.tif 000008
2004525669.tif 000009
2004525669.tif 000010
2004525669.tif 000011
2004525669.tif 000012
2004525669.tif 000013
2004525669.tif 000014
2004525669.tif 000015
2004525669.tif 000016
2004525669.tif 000017
2004525669.tif 000018
2004525669.tif 000019
2004525669.tif 000020
2004525669.tif 000021
2004525669.tif 000022
2004525669.tif 000023
2004525669.tif 000024
2004525669.tif 000025
2004525669.tif 000026
2004525669.tif 000027
2004525669.tif 000028
2004525669.tif 000029
2004525669.tif 000030
2004525669.tif 000031
【国際公開パンフレット（コレクトバージョン）】
2004525669.tif 000032
2004525669.tif 000033
【国際調査報告】
2004525669.tif 000034
2004525669.tif 000035
2004525669.tif 000036